【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
複数の装置側端子を有する印刷装置に所定の挿入方向に挿入されることによって脱着可能に装着される印刷材収容体であって、
記憶装置と、
前記記憶装置に接続される複数の第１の端子と、
前記記憶装置に印加される電圧よりも高い電圧が印加される少なくとも１つの第２の端子と、
を備え、
前記複数の第１の端子は、前記複数の装置側端子のうちの対応する端子と接触する第１の接触部をそれぞれ含み、
前記少なくとも１つの第２の端子は、前記複数の装置側端子のうちの対応する端子と接触する第２の接触部を含み、
前記少なくとも１つの第２の接触部と、前記複数の第１の接触部のうちの一部の第１の接触部は、前記挿入方向に対して略垂直な第１の列に配置され、
前記複数の第１の接触部のうちの他の第１の接触部は、前記挿入方向に対して略垂直な第２の列に配置され、
前記第１の列は、前記第２の列よりも前記挿入方向の奥側に配置され、
前記少なくとも１つの第２の接触部は、前記第１と第２の列に配置された接触部の中で前記挿入方向と略垂直な方向にみて最も端部に配置されている、印刷材収容体。
【請求項２】
請求項１に記載の印刷材収容体であって、
前記第１の列に配置された接触部と前記第２の列に配置された接触部とは、前記挿入方向に並ばないように互い違いに配置されている、印刷材収容体。
【請求項３】
請求項２に記載の印刷材収容体であって、
前記第１の列に配置された接触部と前記第２の列に配置された接触部とは、千鳥状に配置されている、印刷材収容体。
【請求項４】
請求項１ないし請求項３のいずれか一項に記載の印刷材収容体であって、
前記少なくとも１つの第２の端子は、２つの第２の端子を含み、
前記２つの第２の端子の前記第２の接触部は、前記第１の列の両端にそれぞれ配置されている、印刷材収容体。
【請求項５】
請求項１ないし請求項４のいずれか一項に記載の印刷材収容体であって、
前記第１の列に配置された前記第１の接触部の数は、前記第２の列に配置された前記第１の接触部の数より多い、印刷材収容体。
【請求項６】
請求項１ないし請求項５のいずれか一項に記載の印刷材収容体であって、
前記第１の列は、前記第２の列より長い、印刷材収容体。
【請求項７】
請求項１ないし請求項６のいずれか一項に記載の印刷材収容体であって、さらに、
前記記憶装置に印加される電圧よりも高い電圧が印加される高電圧回路を備え、  前記高電圧回路は、前記少なくとも１つの第２の端子に接続される、印刷材収容体。
【請求項８】
複数の装置側端子を有する印刷装置に所定の挿入方向に挿入されることによって、前記複数の装置側端子に接続可能な基板であって、
記憶装置と、
前記記憶装置に接続される複数の第１の端子と、
前記記憶装置に印加される電圧よりも高い電圧が印加される少なくとも１つの第２の端子と、
を備え、
前記複数の第１の端子は、前記複数の装置側端子のうちの対応する端子と接触する第１の接触部をそれぞれ含み、
前記少なくとも１つの第２の端子は、前記複数の装置側端子のうちの対応する端子と接触する第２の接触部を含み、
前記少なくとも１つの第２の接触部と、前記複数の第１の接触部のうちの一部の第１の接触部は、前記挿入方向に対して略垂直な第１の列に配置され、
前記複数の第１の接触部のうちの他の第１の接触部は、前記挿入方向に対して略垂直な第２の列に配置され、
前記第１の列は、前記第２の列よりも前記挿入方向の奥側に配置され、
前記少なくとも１つの第２の接触部は、前記第１と第２の列に配置された接触部の中で前記挿入方向と略垂直な方向にみて最も端部に配置されている、基板。
【請求項９】
請求項８に記載の基板であって、
前記第１の列に配置された接触部と前記第２の列に配置された接触部とは、前記挿入方向に並ばないように互い違いに配置されている、基板。
【請求項１０】
請求項９に記載の基板であって、
前記第１の列に配置された接触部と前記第２の列に配置された接触部とは、千鳥状に配置されている、基板。
【請求項１１】
請求項８ないし請求項１０のいずれか一項に記載の基板であって、
前記少なくとも１つの第２の端子は、２つの第２の端子を含み、
前記２つの第２の端子の前記第２の接触部は、前記第１の列の両端にそれぞれ配置されている、基板。
【請求項１２】
請求項８ないし請求項１１のいずれか一項に記載の基板であって、
前記第１の列に配置された前記第１の接触部の数は、前記第２の列に配置された前記第１の接触部の数より多い、基板。
【請求項１３】
請求項８ないし請求項１２のいずれか一項に記載の基板であって、
前記第１の列は、前記第２の列より長い、基板。
【請求項１４】
請求項８ないし請求項１３のいずれか一項に記載の基板であって、さらに、
前記記憶装置に印加される電圧よりも高い電圧が印加される高電圧回路を備え、  前記高電圧回路は、前記少なくとも１つの第２の端子に接続される、基板。
【請求項１５】
請求項８ないし請求項１３のいずれか一項に記載の基板と、
前記記憶装置に印加される電圧よりも高い電圧が印加される高電圧回路と、
備え、
前記高電圧回路は、前記少なくとも１つの第２の端子に接続される、印刷材収容体。
【請求項１６】
請求項１４に記載の基板を備えた印刷材収容体。
【手続補正２】
【補正対象書類名】明細書
【補正対象項目名】０００６
【補正方法】変更
【補正の内容】
【０００６】
本発明の第１の形態は、複数の装置側端子を有する印刷装置に所定の挿入方向に挿入されることによって脱着可能に装着される印刷材収容体であって、記憶装置と、前記記憶装置に接続される複数の第１の端子と、前記記憶装置に印加される電圧よりも高い電圧が印加される少なくとも１つの第２の端子と、を備え、前記複数の第１の端子は、前記複数の装置側端子のうちの対応する端子と接触する第１の接触部をそれぞれ含み、前記少なくとも１つの第２の端子は、前記複数の装置側端子のうちの対応する端子と接触する第２の接触部を含み、前記少なくとも１つの第２の接触部と、前記複数の第１の接触部のうちの一部の第１の接触部は、前記挿入方向に対して略垂直な第１の列に配置され、前記複数の第１の接触部のうちの他の第１の接触部は、前記挿入方向に対して略垂直な第２の列に配置され、前記第１の列は、前記第２の列よりも前記挿入方向の奥側に配置され、前記少なくとも１つの第２の接触部は、前記第１と第２の列に配置された接触部の中で前記挿入方向と略垂直な方向にみて最も端部に配置されている。
この印刷材収容体によれば、記憶装置に印加される電圧よりも高い電圧が印加される第２の接触部は、挿入方向の奥側にある第１の列に配置されるので、インク滴や異物が第２の接触部の位置まで侵入する可能性が低くなり、第２の接触部と他の接触部との短絡に起因する印刷材収容体および印刷装置の損傷を、より効果的に防止または抑制することができる。
また、第２の接触部は、第１と第２の列に配置された接触部の中で挿入方向と略垂直な方向にみて最も端部に配置されているので、第２の接触部が列の内側の位置に配置されている場合に比べて、第２の接触部と他の接触部とが短絡する可能性を低くすることができ、短絡に起因する印刷材収容体および印刷装置の損傷をより効果的に防止または抑制することができる。
本発明による他の形態としての第１の態様は、複数の装置側端子を有する印刷装置に脱着可能に装着される印刷材収容体を提供する。本発明の第１の態様に係る印刷材収容体は、記憶装置と、第２のデバイスと、端子群とを備える。端子群は、複数の第１の端子と、少なくとも１つの第２の端子と、少なくとも１つの第３の端子を含む。前記複数の第１の端子は、前記記憶装置に接続されると共に、前記複数の装置側端子のうちの対応する端子と接触する第１の接触部をそれぞれ含む。前記少なくとも１つの第２の端子は、前記第２のデバイスに接続されると共に、前記複数の装置側端子のうちの対応する端子と接触する第２の接触部をそれぞれ含む。前記少なくとも１つの第３の端子は、前記少なくとも１つの第２の端子と前記少なくとも１つの第３の端子との短絡を検出するための端子であり、前記複数の装置側端子のうちの対応する端子と接触する第３の接触部をそれぞれ含む。前記少なくとも１つの第２の接触部と、前記複数の第１の接触部と、前記少なくとも１つの第３の接触部は、１または複数の列を形成するように配置される。前記少なくとも１つの第２の接触部は、前記１または複数の列のうちの一の列の端に配置されている。